【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
割り出し可能な三角形の切削インサート（２０、１２０）であって、
対向する上面および下面（２２、２４）と、それらの間に延在する周面（２６）と、それらに貫通延在する中心軸線（Ａ１）とを備え、
前記下面（２４）は、前記中心軸線（Ａ１）に垂直な第１水平面（ＰＨ１）によって画成された下向きの平坦な底面（３６）を有し、
前記周面（２６）は、前記上面（２２）と交わって一続きの上側周縁（３０）を形成し、３つのコーナー面（３４）と周方向に交互に配置された３つの側面（３２）を有し、
各コーナー面（３４）は前記上面（２２）と交わって上側コーナー周縁（３８）を形成し、各上側コーナー周縁（３８）は、第１端点（Ｎ１）から第２端点（Ｎ２）まで延在する一次切刃（４０）を有し、
前記中心軸線（Ａ１）に垂直な、前記３つの側面（３２）に交差する第２水平面（ＰＨ２）に沿った断面図において、前記３つの側面（３２）は、第１仮想三角形（Ｔ１）の３つの辺と第１仮想正六角形（Ｈｌ）の３つの非隣接辺とを画成し、
前記切削インサート（２０、１２０）の上面図において、
前記第１仮想三角形（Ｔ１）の各辺は、２つの上側コーナー周縁（３８）を横切り、
各一次切刃（４０）に、その第１および第２端点（Ｎ１、Ｎ２）において、それぞれ正接する第１および第２仮想直線（Ｌｌ、Ｌ２）は同一直線上にある、または１７５度より大きい鈍角の一次曲げ角度（α１）を形成する、のどちらかであり、
各一次切刃（４０）は、その第１および第２端点（Ｎ１、Ｎ２）の間に、前記第１仮想六角形（Ｈｌ）の六角形の辺の長さ（ＬＨ）の半分より大きい一次長さ（ＬＰ）を有し、
各一次切刃（４０）は、前記第１仮想三角形（Ｔ１）の少なくとも１つの辺によって横切られている、切削インサート（２０、１２０）。
【請求項２】
前記切削インサート（２０、１２０）の前記上面図において、
前記第１仮想三角形の３つの角は、前記上側周縁（３０）の外側に位置する、
請求項１に記載の切削インサート（２０、１２０）。
【請求項３】
前記切削インサート（２０）の前記上面図において、
前記第１仮想六角形の６つの角は、前記上側周縁（３０）の内側に位置する、
請求項１または２に記載の切削インサート（２０、１２０）。
【請求項４】
前記第１仮想三角形（Ｔ１）は３本の第１仮想二等分線（ＬＢ１）を有し、第１仮想二等分線（ＬＢ１）の各々は前記第１仮想三角形の３つの角のうちの１つを含み、その非隣接辺を二等分し、
前記切削インサート（２０、１２０）の前記上面図において、
各第１仮想二等分線（ＬＢ１）は、前記上側コーナー周縁（３８）のうちの１つに交差し、
各上側コーナー周縁（３８）は、その対応付けられた第１仮想二等分線（ＬＢ１）を中心に鏡面対称を示さない、
請求項１〜３のいずれか一項に記載の切削インサート（２０、１２０）。
【請求項５】
各一次切刃（４０）は、その第１端点（Ｎ１）からその第２端点（Ｎ２）まで下方に傾斜する、請求項１〜４のいずれか一項に記載の切削インサート（２０、１２０）。
【請求項６】
前記一次長さ（ＬＰ）は、前記六角形の辺の長さ（ＬＨ）の３分の２より大きい、請求項１〜５のいずれか一項に記載の切削インサート（２０、１２０）。
【請求項７】
前記切削インサート（２０、１２０）の前記上面図において、
前記第１仮想三角形（Ｔ１）の同じ辺は、各上側コーナー周縁（３８）を一度だけ横切る、
請求項１〜６のいずれか一項に記載の切削インサート（２０、１２０）。
【請求項８】
前記上面（２２）は、各一次切刃（４０）に隣接するすくい面（４２）と、各すくい面（４２）と中心上面（４６）との間の削り屑逸らせ面（４４）とを含む、請求項１〜７のいずれか一項に記載の切削インサート（２０、１２０）。
【請求項９】
前記中心軸線（Ａ１）と同軸の中心穴（２８）が前記上面および下面（２２、２４）に交差し、
前記上面（４６）は、前記中心穴（２８）の周囲全体を囲む、
請求項８に記載の切削インサート（２０、１２０）。
【請求項１０】
前記切削インサート（２０、１２０）の前記上面図において、
各削り屑逸らせ面（４４）は、少なくとも部分的に前記第１仮想六角形（Ｈｌ）の内側に位置する、
請求項８または９に記載の切削インサート（２０、１２０）。
【請求項１１】
前記上面（４６）は平坦であり、前記中心軸線（Ａ１）に垂直な第３水平面（ＰＨ３）によって画成される、請求項８〜１０のいずれか一項に記載の切削インサート（２０、１２０）。
【請求項１２】
前記切削インサート（２０、１２０）の何れの部分も前記第３水平面（ＰＨ３）より上方に位置しない、請求項１１に記載の切削インサート（２０、１２０）。
【請求項１３】
前記中心軸線（Ａ１）と前記一次切刃（４０）のうちの１つの一次切刃（４０）の中点（Ｎ３）とを含む第１鉛直面（ＰＶ１）に沿った断面図において、
前記すくい面（４２）は、前記一次切刃（４０）から離れる方向に下方に傾斜し、
前記削り屑逸らせ面（４４）は、前記上面（４６）に向かって上方に傾斜する、
請求項８〜１２のいずれか一項に記載の切削インサート（２０、１２０）。
【請求項１４】
前記第１鉛直面（ＰＶ１）に沿った断面図において、
前記中心軸線（Ａ１）に垂直な第４仮想直線（Ｌ４）が前記すくい面（４２）および前記削り屑逸らせ面（４４）に、第１および第２交点（Ｉ１、Ｉ２）において、それぞれ交差し、
前記第１交点（Ｉ１）において前記すくい面（４２）に正接する第５仮想直線（Ｌ５）が前記第４仮想直線（Ｌ４）と鋭角のすくい面角度（β１）を形成し、
前記第２交点（Ｉ２）において前記削り屑逸らせ面（４４）に正接する第６仮想直線（Ｌ６）が前記第４仮想直線（Ｌ４）と鋭角の逸らせ面角度（β２）を形成し、
前記逸らせ面角度（β２）は、前記すくい面角度（β１）より大きい、
請求項１３に記載の切削インサート（２０、１２０）。
【請求項１５】
前記逸らせ面角度（β２）は、前記すくい面角度（β１）より少なくとも５度大きい、請求項１４に記載の切削インサート（２０、１２０）。
【請求項１６】
各上側コーナー周縁（３８）は、ランピング用切刃（４８）と湾曲したコーナー切刃（５０）とを含み、
各湾曲したコーナー切刃（５０）は、その対応付けられた一次切刃（４０）の前記第１端点（Ｎ１）とその対応付けられたランピング用切刃（４８）との間に延在する、
請求項１〜１５のいずれか一項に記載の切削インサート（２０、１２０）。
【請求項１７】
前記切削インサート（２０、１２０）の前記上面図において、
各ランピング用切刃（４８）に正接する第７仮想直線（Ｌ７）がその対応付けられた第１仮想直線（Ｌｌ）と鋭角のランプ角度（Ψ１）を形成し、
前記鋭角のランプ角度（Ψ１）は４５度より大きい、
請求項１６に記載の切削インサート（２０、１２０）。
【請求項１８】
前方−後方方向（ＤＦ、ＤＲ）を規定する工具軸線（ＡＴ）を中心に回転可能な回転切削工具（６０）であって、
少なくとも１つのインサート収容ポケット（６４）を有する切削体（６２）と、
前記インサート収容ポケット（６４）内に取り外し可能に固定される請求項１〜１７のいずれか一項に記載の少なくとも１つの切削インサート（２０、１２０）と、
を備えた、回転切削工具（６０）。
【請求項１９】
各インサート収容ポケット（６４）は、前記切削体（６２）の前方端面（６６）において開口し、
前記少なくとも１つの切削インサート（２０、１２０）の前記３つの上側コーナー周縁（３８）のうちの１つのみが有効な上側コーナー周縁（３８’）として機能し、その対応付けられた上側周縁（３０）の軸線方向最前方点（ＮＡ）を含む、
請求項１８に記載の回転切削工具（６０）。
【請求項２０】
各上側コーナー周縁（３８）は、ランピング用切刃（４８）と湾曲したコーナー切刃（５０）とを含み、
前記ランピング用切刃（４８）は、その対応付けられた一次切刃（４０）から、前記湾曲したコーナー切刃（５０）によって離隔され、
前記軸線方向最前方点（ＮＡ）は、前記有効な上側コーナー周縁（３８’）の前記湾曲したコーナー切刃（５０）上に位置する、
請求項１９に記載の回転切削工具（６０）。
【請求項２１】
前記有効な上側コーナー周縁（３８’）の前記一次切刃（４０）および前記ランピング用切刃（４８）は、前記後方方向（ＤＲ）に開く、請求項２０に記載の回転切削工具（６０）。
【請求項２２】
各インサート収容ポケット（６４）は、座面（６８）と、前記座面（６８）に直角の第１および第２ポケット壁（７０、７２）とを有し、前記第１および第２ポケット壁（７０、７２）は、前記インサート収容ポケット（６４）の正面図において、ポケット外角（σ１）を形成し、
前記インサートの下面（２４）は、前記底面（３６）の周囲に周方向に距離を置いて配置された３つの下側当接凹部（５６）を有し、各下側当接凹部（５６）は、半径方向外方に向いた下側当接面（５８）を含み、
前記インサートの底面（３６）は、前記座面（６８）に接触し、
前記インサートの３つの側面（３２）のうちの１つのみが有効な側面（３２’）となり、前記第１ポケット壁（７０）に接触し、
前記インサートの３つの下側当接面（５８）のうちの１つのみが有効な下側当接面（５８’）となり、前記第２ポケット壁（７２）に接触する、
請求項１９〜２１のいずれか一項に記載の回転切削工具（６０）。
【請求項２３】
前記ポケット角度（σ１）は６０度より大きく、９０度以下である、請求項１９〜２２のいずれか一項に記載の回転切削工具（６０）。
【請求項２４】
前記中心軸線（Ａ１）と前記有効な上側コーナー周縁（３８’）の前記一次切刃（４０）の中点（Ｎ３）とを含む第１鉛直面（ＰＶ１）が前記第１ポケット壁（７０）に交差する、請求項１９〜２３のいずれか一項に記載の回転切削工具（６０）。